(57)【要約】  【課題】演奏中にギターが落下破損することを防止しつつ、ギターを演奏者の負担にならないように支持することができ、動きに対する拘束も少なく、着衣の下にも好適に隠してステージ上の見栄えも向上させ得るようにした新規有用な弦楽器用ストラップを提供する。  【解決手段】ギターＧのボディ前部に付帯するストラップピンに対して脱着可能なストラップピン接続部２２ａを有する前ストラップ部２２と、ギターＧのボディ後部に付帯するエンドピンに対して脱着可能なエンドピン接続部２３ｂを有する後ストラップ部２３と、演奏者の首に掛ける首掛け部２１ａを有するネックストラップ部２１とを備え、このネックストラップ部２１が、首掛け部２１ａの下方に一対のストラップラインを束ねる絞り部２１ｂを備え、この絞り部２１ｂの下方に前ストラップ部２２を連設し、後ストラップ部２３をウェスト回りに支持させるようにした。  【選択図】図２
2007316151.tif 000002
【特許請求の範囲】
【請求項１】
前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者の首に掛ける首掛け部を有するネックストラップ部とを具備し、このネックストラップ部の下方に前記前ストラップ部を連設するようにしたものであることを特徴とする弦楽器用ストラップ。
【請求項２】
前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者の首に掛ける首掛け部を有するネックストラップ部とを具備し、このネックストラップ部が、前記首掛け部の下方に一対のストラップラインを束ねる絞り部を備え、この絞り部の下方に少なくとも前記前ストラップ部を連設するようにしたものであることを特徴とする弦楽器用ストラップ。
【請求項３】
後ストラップ部が、上方にウェスト回りに係合可能な係合部を有し下方に後ストラップピン接続部を有するものであることを特徴とする請求項１又は２記載の弦楽器用ストラップ。
【請求項４】
後ストラップ部の係合部が、ウェスト回りに位置変更可能とされていることを特徴とする請求項３記載の弦楽器用ストラップ。
【請求項５】
後ストラップ部が、前ストラップ部とともに絞り部の下方に二股に分岐する形で連設されたものであることを特徴とする請求項３記載の弦楽器用ストラップ。
【請求項６】
演奏者の背部において首掛け部から下方の背中部分にストラップラインが存在しないことを特徴とする請求項１〜５記載の弦楽器用ストラップ。
【請求項７】
演奏者の背部においてネックストラップ部を構成する首掛け部を背ストラップ部を介してウェスト回りに接続していることを特徴とする請求項１〜５記載の弦楽器用ストラップ。
【請求項８】
少なくともネックストラップ部又は前ストラップ部の一部に長さ調整部を設けていることを特徴とする請求項１〜７記載の弦楽器用ストラップ。
【請求項９】
後ストラップ部にも長さ調整部を設け、前後の調節部を独立して長さ調節可能としていることを特徴とする請求項８記載の弦楽器用ストラップ。
【請求項１０】
前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者のウェストに巻かれるウェストストラップ部とを具備し、このウェストストラップ部の一部に少なくとも前記前ストラップ部の上部を取り付けるようにしたものであることを特徴とする弦楽器用ストラップ。
【請求項１１】
後ストラップ部が、上方にウェスト回りに係合可能な係合部を有し下方に後ストラップピン接続部を設けたものであることを特徴とする請求項１０記載の弦楽器用ストラップ。
【請求項１２】
ウェストストラップ部に肩紐を接続して演奏者の肩に掛けることができるようにしていることを特徴とする請求項１０又は１１記載の弦楽器用ストラップ。
【請求項１３】
請求項２記載の弦楽器用ストラップを構成する前ストラップ部及び後ストラップ部。
【発明の詳細な説明】
【技術分野】
【０００１】
本発明は、弦楽器の演奏に特に適した使用状態を与える弦楽器用ストラップに関するものである。
【背景技術】
【０００２】
従来のギターやベースのストラップは、ボディ前部に付帯する前ストラップピンとボディ後部に付帯する後ストラップピンとにストラップを脱着可能に掛け渡して取り付けるようにしているのが通例である。すなわち、演奏姿勢では片肩から背中にかけてたすき状にストラップが掛かった状態をなしている。これは特許文献を引用するまでもなく周知であり、また特に引用すべき特許文献も見当たらないが、強いて挙げるならば下記の非特許文献１〜３が参考となる。
【非特許文献１】GibsonGearホームページ、［online］、平成１８年５月１０日、［平成１８年５月１８日検索］、インターネット＜URL：http://www.gibson.com/Products/Accessories/Gear/Accessories/Straps/＞
【非特許文献２】Fenderホームページ、［online］、平成１８年４月２６日、［平成１８年５月１８日検索］、インターネット＜URL：http://www.fender.jp/catalogue/sa/straps.php/＞
【非特許文献３】ARIAホームページ、［online］、平成１８年１月１７日、［平成１８年５月１８日検索］、インターネット＜URL：http://www.ariaguitars.com/jp/02prod/03acce/strap00.html＞
【発明の開示】
【発明が解決しようとする課題】
【０００３】
しかしながら、このように片肩から背中にかけてたすき状にストラップが掛かっていると、ライブ、コンサート等の演奏時にストラップが片肩から外れたときに、ギターが落下破損し、さらにはライブ、コンサート等の中断を招く場合があった。また、ストラップラインが露出してステージ上の見栄えが悪く、肩への疲労も大きくなるという問題があった。特に、ストラップが掛かる位置には左右に僧帽筋という筋肉が位置しており、一方の僧帽筋のみに負荷が掛かると、いわゆる肩こりと呼ばれる症状が起こることが知られており、まさにストラップのたすき掛けは肩こりを助長する支持構造であると言うことができる。
【０００４】
さらに、演奏でのパフォーマンス時に、たすき状に掛かったストラップで演奏者の体やステージ衣装の片肩、背中部分を傷めてしまうという問題や、スポットライト等による発汗により、体と密着しているストラップ部分が蒸れてしまい、汗染み等によるステージ衣装の痛み、ダメージ、皮膚への悪影響が大きくなるという問題等もあった。
【０００５】
さらに、従来のストラップは、前ストラップピン及び後ストラップピンに対してストラップの長さをそれぞれ独立して調整する事ができないため、ギターの種類や演奏者の体格等に応じたベストポジションを獲得する事が難しいという問題があった。
【０００６】
さらにまた、ストラップが大きなループ状をなしているため、演奏終了後にストラップをつけたままで楽器を壁やスタンドなどに立てかけている最中に、ストラップに足等を引っ掛けて楽器を倒し破損に至る事故が多かった。
【０００７】
本発明は、大切なギター・ベースに穴を開けてストラップピンを移動する加工等を要することなく、ほとんどのエレクトリックギター・ベース等に使用する事ができて、これらの課題を有効に解決することのできる画期的な弦楽器用ストラップを新たに提供することを目的としている。
【課題を解決するための手段】
【０００８】
本発明は、かかる目的を達成するために、次のような手段を講じたものである。
【０００９】
すなわち、本発明の弦楽器用ストラップは、前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者の首に掛ける首掛け部を有するネックストラップ部とを具備し、このネックストラップ部の下方に前記前ストラップ部を連設するようにしたものであることを特徴とする。
【００１０】
このように構成すると、ライブ、コンサート等の演奏時にネックストラップ部が不慮に外れるおそれがないため、ギターの落下破損、更にはライブ、コンサート等の中断を招く不都合を解消することができる。また、弦楽器の荷重が主として首の左右の付け根に掛かり片肩の僧帽筋への集中負担となることがないため、肩を痛めたり、肩に疲労が蓄積することも解消することができる。さらに、体に対する拘束が少ないため、動き易く演奏に適した状態を確保することができる。
【００１１】
或いは、本発明は、前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者の首に掛ける首掛け部を有するネックストラップ部とを具備し、このネックストラップ部が、前記首掛け部の下方に一対のストラップラインを束ねる絞り部を備え、この絞り部の下方に少なくとも前記前ストラップ部を連設するようにしたものであることを特徴とする。
【００１２】
このように構成すると、上記の作用効果に加えて、首から回り込んだ一対のストラップラインは首掛け部の下方に設けた絞り部において体の中心付近に束ねられるため、ストラップラインを着衣の下或いはネクタイの下などに隠すことが容易となり、見栄えを格段に向上させることができる。
【００１３】
後ストラップ部については、上方にウェスト回りに係合可能な係合部を有し下方に後ストラップピン接続部を有するものとすることで、弦楽器の荷重が首の左右の付け根と腰の３点に分散されるので、首への負担を軽減することができる。しかも、後ストラップ部はウェスト回りに係合させるので、着衣の下にストラップラインをほぼ隠すことができ、ネックストラップ部と相まって全体として弦楽器を浮いたような状態で支持することが可能となる。
【００１４】
この場合、後ストラップ部の係合部が、ウェスト回りに位置変更可能であると、後ストラップ部の係合部の位置を腰のサイドから後方に回り込ませることによって、エンドピンが後方に引かれてギターのボディがウェスト回りに移動し、その際にボディの下半部が大腿部に乗り上げる形になるので、第６弦の背後に第５弦〜第１弦が重なった状態から第１弦目までが目視できる方向にギターが起き上がる作用が生じるので、フレットも同時に目視できるようになる事と相まって、通常姿勢でも指押さえがし易い状態となる。このため、演奏状態を改善する効果も見込めるものとなる。
【００１５】
或いは、後ストラップ部は、前ストラップ部とともに絞り部の下方に二股に分岐する形で連設されたものであってもよい。このようにすると、絞り部から分岐部分までのストラップラインはほぼ真っ直ぐ降りるので、着衣やネクタイの下に隠し易く見栄えの向上という点では上記に準じ、また、絞り部の近傍にバックル等による脱着部を設ければ、全体の取り外しがここのみにおいてワンタッチで行え、ステージ上での弦楽器の持ち替え等をより迅速に行えるようになる。
【００１６】
これらにおいて、演奏者の背部において首掛け部から下方の背中部分にストラップラインが存在しないようにしておけば、背中がストラップから完全に解放されるので、背中を痛めることがなくなり、見栄えも格段に向上するだけでなく、発汗等によるストラップ部分の蒸れやそれに起因する種々の不具合も解消することができる。
【００１７】
ただし、演奏者の背部においてネックストラップ部を構成する首掛け部を背ストラップ部を介してウェスト回りに接続する構成は有効である。このようにすると、ネックストラップ部に掛かる負荷の一部を背ストラップ部が分担するため、首掛け部から首に掛かる負担を軽減することができる。また、ストラップラインは背中に掛かるものの、たすき状をなす従来のものほど広範囲に強く密着することはないため、動き難さや背中を痛めるおそれも軽減することができる。
【００１８】
上記において、少なくともネックストラップ部又は前ストラップ部の一部に長さ調整部を設けておけば、少なくともヘッドの高さを調整して弦楽器の傾きを変えることができるので、べストポジションをとり易くなる。
【００１９】
更に進んで、後ストラップ部にも長さ調整部を設け、前後の調節部を独立して長さ調節可能としておけば、ボディー全体の高さ位置や傾きを体格や好みに応じて個別に調整することができ、より的確なベストポジションをとることができるようになる。
【００２０】
本発明の他の構成としては、前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者のウェストに巻かれるウェストストラップ部とを具備し、このウェストストラップ部の一部に少なくとも前記前ストラップ部の上部を取り付けるようにしたものが挙げられる。
【００２１】
このように構成すると、演奏でのパフォーマンス時にウェストラップ部が不慮に外れるおそれがないため、ギターの破損や、コンサート・ライブでの演奏の中断を招く不都合を解消することができる。また、弦楽器の荷重がウェストに掛かり肩への負担とならないため、肩を痛めたり、肩に疲労が蓄積することも解消することができる。しかも、ウェストストラップ部は着衣の中にほぼ完全に隠すことができ、前ストラップ部も大半は着衣の下に隠すことができるので、見栄えを格段に向上させることが可能となる。また、ストラップがたすきのように大きく肩に掛かることがなく、拘束が少ないため、動き易く演奏に適した状態を確保することができる。
【００２２】
この場合も、後ストラップ部が、上方にウェスト回りに係合可能な係合部を有し下方に後ストラップピン接続部を設けた態様等が有効である。
【００２３】
また、ウェストストラップ部に肩紐を接続して演奏者の肩に掛けることができるようにしておけば、肩紐によってウェストストラップ部を適正に支持することができ、肩紐の一部に長さ調節部を設ければウェストストラップ部の高さ位置も適切に調節することが可能となる。また、このような肩紐を用いることによって肩への負担は掛かるものの、ウェストストラップ部を介して腰が楽器の荷重を一部負担し、且つ両肩で支持するため、動き難さや背中を痛めるおそれも軽減することができる。
【００２４】
なお、サックスストラップ等の先端のフックに接続されるように前ストラップ部を構成すれば、この前ストラップ部および後ストラップ部を新たに設けるのみで本発明を実施することも可能である。
【発明の効果】
【００２５】
本発明は、以上説明した構成であるから、弦楽器を首や腰で支持してストラップの不慮の脱落を防止するとともに、演奏者の負担にならないようにすることができ、動きに対する拘束も少なく、着衣の下にも好適に隠してステージ上の見栄えも向上させ得るようにした新規有用なストラップを提供することが可能となる。勿論、このようなストラップを従来のストラップと併用し、従来のストラップにより肩に掛けたり、本発明のストラップにより首に吊るし或いはウェストに支持させたりすることで、体への負担をより有効に分散する利用形態も可能となる。
【発明を実施するための最良の形態】
【００２６】
以下、本発明の幾つかの実施形態を、前ストラップピン及び後ストラップピンを有する弦楽器としてギターを採り上げつつ、図面を参照して説明する。なお、以下において、後ストラップピンをエンドピンと称し、前ストラップピンを単にストラップピンと称する。
【００２７】
この実施形態で例示するエレクトリックギター・ベース（以下、単に「ギターＧ」と称する）は、図１（ａ）に示すように、ボディ１の前部(ボディ上部とも通称される)１ａにストラップピン１１が付帯し、ボディ１の後部（ボディ下部とも通称される）１ｂにエンドピン１２が付帯する通常のものである。大抵のギターＧは、ボディ前部１ａがネックジョイント部１３からネック１４の幅方向に広がっており、そのうちピックガード１ｃの反対側に位置する部位の端面にストラップピン１１が立っている。ただし、いわゆるフライングＶ等々の変形ギターと称されるギターＧ、又はその他一部の種類のギターＧは、図１（ｂ）に示すように、ボディ背面のネックジョイント部付近にストラップピン１１が演奏者側に立っており、本発明はこのような態様にも適用できるものである。エンドピン１２はボディ後部１ｂの端面に立っている。
【００２８】
そして、従来のストラップは、ストラップピンとエンドピンの間に大きなループをなすように掛け渡し、これを片肩から背にかけてたすき状に掛けて利用するものであったが、本実施形態のストラップは、以下に述べるように異なる構造及び使用状態を実現しているものである。
（第１実施形態）
【００２９】
この実施形態のストラップ２は、図２〜図５に示すように、ネックストラップ部２１、前ストラップ部２２及び後ストラップ部２３から構成されている。
【００３０】
ネックストラップ部２１は、演奏者の首に掛けるループ状の首掛け部２１ａを有し、この首掛け部２１ａの下方に一対のストラップラインを束ねる絞り部２１ｂをリュックカン等により構成して、その下方に回転カン２１ｃを配置している。首掛け部２１ａのうち首に直接接触する部分にはやや厚肉で柔らかい素材からなるネックガード２１ａ１が設けてある。ストラップラインは絞り部２１ｂの上方において２重、絞り部２１ｂから回転カン２１ｃまでの間において４重をなしており、絞り部２１ｂの位置を調節することによって４重となる領域の長さ（したがって２重となる領域の長さ）を変えてネックストラップ部２１全体の長さ調節が行えるようにしている。すなわち、この絞り部２１ｂは長さ調節部を兼ねている。回転カン２１ｃは軸部を介して上部Ｄカン２１ｃ１と下部Ｄカン２１ｃ２とを相対回転可能に接続した通常のもので、ストラップ２のねじれ防止の役割を果たしており、その下部Ｄカン２１ｃ２にバックル式の脱着部２２ｘを構成する上脱着要素２１ｄを取り付けている。
【００３１】
前ストラップ部２２は、下端側にストラップピン１１（図１参照）に対して脱着可能なストラップピン接続部２２ａを有し、上端側に前記上脱着要素２１ｄと対になってバックル式の脱着部２２ｘを構成する下脱着要素２２ｂを有したもので、ストラップピン接続部２２ａにはストラップピン１１にワンタッチで脱着できるロックピンや、単にストラップピン１１を挿通して引掛ける構造の挿通穴等が採用される。
【００３２】
後ストラップ部２３は、図３に示すように、ウェスト回りに係合可能な係合部２３ａを有し、下方にエンドピン１２に対して脱着可能なエンドピン接続部２３ｂを有したもので、この実施形態で係合部２３ａはベルト通し（図示省略）に引っ掛けるフック２３ａ１と、ベルトＢに巻き掛けて止めることのできるジャンパーホック２３ａ２の両方を備えている。エンドピン接続部２３ｂはエンドピン１２にワンタッチで脱着できるロックピンのほか、単にストラップピンを挿通して引掛ける構造の挿通穴等であってもよい。係合部２３ａとエンドピン接続部２３ｂとの間は、この実施形態では回転カン２３ｃ、リュックカンを用いた長さ調節部２３ｄ、及び脱着要素２３ｅ１、２３ｅ２を用いたバックル式の脱着部２３ｅが設けてある。
【００３３】
演奏者がこのストラップを使用する際は、首にネックストラップ部２１の首掛け部２１ａを掛け、上脱着要素２１ｄを前ストラップ部２２の下脱着要素２２ｂに接続するとともに、後ストラップ部２３を右利きであれば右サイド、左利きであれば左サイドのウェスト回りに取り付けて、この後ストラップ部２３の脱着部２３ｅを接続することにより、ギターＧを演奏可能な状態に保持することができる。演奏後は、上記脱着要素２１ｄ、２２ｂの間を解除し、脱着部２３ｅを解離することによって、ネックストラップ部２１や後ストラップ部２３からギターＧを取り外すことができる。
【００３４】
このように構成すると、演奏でのパフォーマンス時にネックストラップ部２１が不慮に外れるおそれがないため、ギターの破損や、ライブ、コンサート等の中断を招く不都合を解消することができる。また、ギターＧの荷重が主として首に掛かり肩への大きな負担とならないため、肩を痛めたり、肩に疲労が蓄積することも有効に解消することができる。しかも、首掛け部２１ａの下方に絞り部２１ｂが設けてあり、首から回り込んだ一対のストラップラインはこの絞り部２１ｂにおいて体の中心付近に束ねられるため、図４に示すようにスーツ等のステージ衣装にてライブ、コンサート等の演奏を行う際に、ストラップラインをネクタイＮの下などに隠すことが容易となり、且つ背中にストラップラインがなくなるためステージ上のプレイヤーの見栄えを格段に向上させることができる。勿論ステージ衣装が図５に示すようなシャツやＴシャツ、或いはジャケット、もしくは図２に示すように衣類を身にまとわず上半身を露出させてライブ、コンサート等の演奏を行う場合等であっても、プレイヤーのステージ上の見栄えを向上させることができる。また、これらの図に明らかなように、体に対する拘束が少ないため、動き易く演奏に適した状態も確保することが可能である。
【００３５】
特に、本実施形態では、ギターＧの荷重の一部が前ストラップ部２２及びネックストラップ部２１を介して首に掛かり、残りが後ストラップ部２３を介して腰に掛かるようにしてあり、首と腰で荷重が分散されるので、首への負担を有効に軽減することができる。しかも、後ストラップ部２３はズボンＺを利用してウェスト回りに掛け止めるものであるので、図２→図４のようにスーツやジャケット等を着ればこの後ストラップ部２３のストラップラインも着衣の下にほぼ隠すことができ、ネックストラップ部２１と相まって全体としてギターＧを浮いたような状態で支持することが可能となる。
【００３６】
この場合、後ストラップ部２３の係合部２３ａは、ベルトＢに沿ってウェスト回りにスライド可能であるため、後ストラップ部２３の係合部２３ａの位置を、例えば図３に矢印Ｙ１で示すように腰サイドから後方に回り込ませることによって、エンドピン１２が矢印Ｙ２のように後方に引かれてギターＧのボディ１がウェスト回りに移動し、その際にボディの裏面下側が下腹部の位置から大腿部に乗り上げる形になるので、演奏者の目線から見て第６弦の背後に第５弦〜第１弦が重なった調整前状態から、図４に想像線及び矢印Ｙ３に示すように第１弦目まで目視できる方向にギターが起き上がる作用が生じる。このときフレットも同時に目視できるようになり、また、ベグが設けられているネックの先端（ヘッド）がネックストラップ部２１及び前ストラップ部２２による規制の中で演奏者の前上方に起立する方向に移動してボディ１が若干立つような形になるので、これらが相まって、通常姿勢でも指押さえのし易い演奏状態が得られ、ギターの保持状態を改善する効果も見込めるものとなる。
【００３７】
さらに、図５に示すように演奏者の背部において首掛け部２１ａから下方の背中部分にストラップラインが存在せず、背中がストラップから完全に解放されるので、背中を痛めることがなくなるだけでなく、発汗等によるストラップ部分の蒸れやそれに起因する種々の不具合も解消することができる。
【００３８】
さらにまた、ネックストラップ部２１及び後ストラップ部２３の双方に長さ調整部２１ｂ、２３ｄを設けており、それらを独立して調節することができるため、ボディー１の高さ位置や傾きを体格や好みに応じて個別に調整することができ、より的確なベストポジションを獲得することができるようになる。
【００３９】
加えて、脱着部２２ｘ、２３ｅを外せばストラップ２が前ストラップ部２２と後ストラップ部２３に分断された状態になり、大きなループ状をなすことがないため、演奏終了後にストラップ２の一部をつけたままでギターＧを壁やスタンドなどに立てかけている状態でストラップ２の一部に足等を引っ掛けてギターＧを倒し破損に至る事故なども解消することができる。
【００４０】
なお、ネックストラップ部２１のみ、或いは前ストラップ部２２のみに調整部を設けても、少なくともヘッドの高さを調整してギターＧの傾きを変えることができるので、ベストポジションをとり易くなる点で依然として有効である。また、上記実施形態ではネックストラップ部２１と前ストラップ部２２の間に脱着部２２ｘが設けてあるが、ネックストラップ部と前ストラップ部は不離一体に、つまりネックストラップ部の先端が前ストラップ部をなすように構成しても構わない。さらに、回転カン２１ｃはストラップのねじれを防止するために設けているものではあるが、ねじれがさほど問題にならない場合にはこれを省略することができる。ネックガード２１ａ１もシャツの上からストラップを首に掛ける場合等には必ずしも必要なものではない。さらにまた、長さ調節部を全く有しない態様によっても、本発明の基本的な作用効果は奏することができる。
（第２実施形態）
【００４１】
この実施形態は、上記第１実施形態のストラップ２に、更に図６に示すように、演奏者の背部においてネックストラップ部２１を構成する首掛け部２１ａとウェスト回りとの間を接続する背ストラップ部２４を設けたものである。
【００４２】
この実施形態におけるネックストラップ部２１には、演奏者の背部に位置する部位に三角カン、Ｄカン等の接続カン２１ｐが介在させてあり、この接続カン２１ｐの下方に背ストラップ部２４を連設している。背ストラップ部２４は、上記接続カン２１ｐの下方に接続カン２１ｑを介して接続されたもので、接続カン２１ｑからストラップラインが二股に分岐させてあり、その各々にリュックカン等の長さ調節部２４ｂを介してジャンパーホック等の止着部２４ｃを設けたものである。
【００４３】
演奏時には、ネックストラップ部２１の首掛け部２１ａを首に通し、背面に垂れ下がった止着部２４ｃをズボンＺのベルトＢに巻き付けて止めるなどすれば、この背ストラップ部２４のセットを完了することができる。
【００４４】
このようにすると、ネックストラップ部２１から首周辺に掛かる負荷の一部を背ストラップ部２４で分担することができるので、肩はもとより首周辺の疲労軽減等を図る上で有効となる。ストラップラインは背中に逆Ｖ字状に掛かるため、負荷が左右ほぼ均等に分散され、また背中のうち大きく動く肩甲骨あたりにストラップが位置しないため、たすき状に背中に大きく掛かる従来のものほど体への密着度や拘束度は高くならず、動き難さや背中を痛めるおそれも軽減することができる。また、背面からの見栄えは多少犠牲になるものの、正面からの見栄えは上記第１実施形態と全く同様であり、更にこの上から背広等を着用すれば外観は正面、背面ともに上記第１実施形態と全く同様となる。
【００４５】
なお、上記接続カン２１ｐ、２１ｑを用いるかわりに、図７に示すような集束カン２５を用いて同様の機能を実現することもできる。この集束カン２５は、平面視矩形状をなし、対向辺にそれぞれ対をなすスリット２５ｓ１、２５ｓ２を開口させたもので、一対のストラップ紐２０ａ、２０ｂをクロスさせて指し通すようにしている。これにより、各ストラップ紐２０ａ、２０ｂは集束カン２５の上方においてネックストラップ部２１を構成し、集束カン２５の下方において背ストラップ部２４を構成することになって、接続カン２１ｐ、２１ｑを２つ用いる場合に比べて部品点数の削減を図ることができる。
（第３実施形態）
【００４６】
図８に示す本実施形態のストラップ１０２は、前記第１実施形態のネックストラップ部２１とほぼ同様（回転カン２１ｃをとったもの）のネックストラップ部１２１を用い、その脱着部１２２ｘを構成する下脱着要素に三角カン、Ｄカン等の接続カン１２０を接続するとともに、この接続カン１２０に前ストラップ部１２２及び後ストラップ部１２３を二股に分岐させて連設したものである。
【００４７】
前ストラップ部１２２及び後ストラップ部１２３には、それぞれリュックカン等を用いた長さ調節部１２２ｂ、１２３ｄを介してストラップピン接続部１２２ａ及びエンドピン接続部１２３ｂが連設してあり、これらをストラップピン１１及びエンドピン１２に脱着可能に取り付けるようにしている。１２１ｂは絞り部であり、構造は絞り部２１ｂと同様である。
【００４８】
このように構成すると、絞り部１２１ｂから分岐部分までのストラップラインはほぼ真っ直ぐ降りて着衣やネクタイの下にさらに隠れ易く、前ストラップ部１２２及び後ストラップ部１２３も着衣の下に隠し易くなるので、見栄えの向上に資する点で第１実施形態等と同様となる。また、脱着部１２２ｘのみにおいてギターＧの取り外しがワンタッチで行えるため、ステージ上での弦楽器の持ち替え等をより迅速に行えるようになる。
【００４９】
さらに、前後のストラップ部１２２、１２３の調節部１２２ｂ、１２３ｄが独立して調節可能であり、ネックストラップ部１２１にも調節部１２１ｂが設けてあるため、調節の自由度は更に高いものとなる。
【００５０】
さらにまた、前後のストラップ部１２２、１２３がなすループは従来に比して遥かに小さいものであるため、上記実施形態と同様、不使用時に立て掛けた状態で足等を引っ掛けて楽器を倒し破損に至る事故等も有効に防止することができる。
【００５１】
なお、このストラップ１０２に図６に示す背ストラップ部２４を併用しても、上記第２実施形態と同様の効果が奏される。その際、このストラップ１０２は、首から吊り下げているだけで前後の振れに対して拘束がないため、主にエレクトリックベース（アコースティックベース、セミアコースティックベース）を指引きする際に最も適していると言い得る。もちろん、ピックを使用して演奏する場合やエレクトリックギターにも適した弦楽器用ストラップであることに変わりはない。
【００５２】
但し、前後の振れを効果的に抑止したい場合には、必要に応じて図９に示すように前ストラップ部１２２及び後ストラップ部１２３をウェスト背面から巻き回した補助ストラップ部１２５によって連結するようにしてもよい。補助ストラップ部１２５はバックル等の脱着部によってウェスト回りに固定し、リュックカンやバックル等の長さ調節部によってウェスト部分の長さを調整できるものである。このようにすると、ネックストラップ部１２１が体から大きく離れることがなくなるため、演奏中に激しく動いても適正な演奏状態を確保することができる。
【００５３】
また、この実施形態においても、必要であればネックストラップ部に回転カンを用いるなど、種々の変形を加えることが可能である。
（第４実施形態）
【００５４】
この実施形態のストラップは、図１０に示すように、演奏者のウェストに巻かれるウェストストラップ部３を備え、このウェストストラップ部３に前ストラップ部２２２の上部を取り付けるとともに、後ストラップ部２２３をウェスト回りに係合させるようにしたものである。
【００５５】
ウェストストラップ部３は、演奏者のウェストに巻き付けてリュックカン等の長さ調節を兼ねる止着部３１において適宜の締め付け状態を確保するようにしたもので、着用状態でこのウェストストラップ部３の一方のサイド（右利きであれば左サイド、左利きであれば右サイド）に前ストラップ部２２２の上部を取り付けている。取付部分にはウェスト回りにスライド可能なスライドカン２２２ａが採用してあり、適宜の位置に前ストラップ部２２２を調節できるようにしている。この前ストラップ部２２２は、長さ調節部２２２ｂを介してストラップピン接続部２２２ｃへと連なっている。
【００５６】
一方、後ストラップ部２２３は、前記第１実施形態（図３参照）における後ストラップ部２３と同様の構成からなり、取り付け方や使い方等も既に述べた通りである。
【００５７】
このように構成すると、演奏でのパフォーマンス時にウェストストラップ部３が不慮に外れるおそれがないため、ギターの破損や、ライブ、コンサート等の中断を招く不都合を解消することができる。また、ギターＧの荷重が腰に掛かり肩への負担とならないため、肩を痛めたり、肩に疲労が蓄積することも解消することができる。しかも、ウェストストラップ部３は着衣の中にほぼ完全に隠すことができ、前ストラップ部２２２も大半は着衣の下に隠すことができるので、見栄えを格段に向上させることが可能となる。特に、このストラップが適用されているギターＧは、第１実施形態〜第３実施形態のストラトキャスター等の通常のギターとは異なり、図１（ｂ）にも示すフライングＶと称される変形ギターＧである。この種の変形ギターＧや、ＳＧ、エクスプローラ等のボディ背面ネックジョイント部付近にストラップピンを有する構造のギターＧ等の場合、ストラップピン１１がボディの背面から演奏者の方向に突出しており、このようなギターＧに本実施形態のストラップを適用すると、前ストラップ部２２２がウェストへの取付位置からねじれることなく真っ直ぐ下りるので、服の盛り上がりが起こらない点で特に有効となる。また、前ストラップ部２２２をウェスト回りに支持させると、前ストラップ部２２２のストラップピン接続部２２２ｃ自体が図示のように低い位置にくるので、そのストラップピン接続部２２２ｃに図１（ａ）のストラトキャスター等のようにネックジョイント部から離れた位置にストラップピン１１を有するギターＧを支持させるとボディ前部１ａが下り過ぎることとなるが、ネックジョイント部の背面にストラップピン１１が位置する図１（ｂ）や図１０の変形ギターＧ等においては、ストラップピン１１の高さ位置が適切であるため、ボディ前部１ａの位置も適正化される。このため、上記見栄えの観点とも併せて、このストラップは変形ギター等のようにボディ背面ネックジョイント部付近にストラップピンを有する構造のギターＧ等の支持に特段有効なものとなる。
【００５８】
後ストラップ部２２３の係合部をスライドさせることによる演奏状態改善の効果も既に述べたものと同様である。
【００５９】
さらに、ストラップラインが上半身になく、体への拘束がないため、より動き易く演奏に適した状態を確保することができる。不使用時の事故が防げる点も然りである。
（第５実施形態）
【００６０】
図１１に示すものは、上記ウェストストラップ３の変形として、コルセット状のウェストストラップ１０３を用い、両サイドにそれぞれスライドカン３２２ａ、３２３ａを用いて前ストラップ部３２２及び後ストラップ部３２３の上部を位置調節可能に取り付けたものである。
【００６１】
ウェストストラップ１０３は面ファスナー等を利用してウェスト回りに適宜の締め付け状態で装着できるようになっている。
【００６２】
前ストラップ部３２２には、リュックカン等の長さ調節部３２２ｂ及び回転カン３２２ｃを介してストラップピン接続部３２２ｄが設けてあり、後ストラップ部３２３には、リュックカン等の長さ調節部３２３ｂを介してエンドピン接続部３２３ｃが設けてある。
【００６３】
これによると、ウェストストラップ１０３の装着状態が安定する上に、前ストラップ部３２２及び後ストラップ部３２３から掛かる荷重によってウェストストラップ１０３の一部が垂れ下がる等の不都合も回避することができるので、支持状態を確実にし、着衣の盛り上がりを的確に防いでより良好な見栄えを確保することができる。
そして、このストラップも上記第４実施形態と同様、変形ギター等のようにボディ背面ネックジョイント部付近にストラップピンを有する構造のギターＧの支持に特段有効なものとなる。
【００６４】
また、後ストラップ部３２３のスライドカン３２３ａは本発明の係合部をなし、この後ストラップ部３２３もウェスト回りに取付位置をスライド移動させることができるので、上述した演奏状態改善の効果も奏されるものとなる。
（第６実施形態）
【００６５】
図１２に示すものは、図１０のウェストストラップ３に、更に肩紐４を接続して演奏者の肩に掛けることができるようにしたものである。
【００６６】
肩紐４は、ウェストストラップ部３の前回し部の一部にスライドカン４１を設け、このスライドカン４１に左右の肩紐４の前下端を左右スライド可能に取り付けるとともに、それらの中間部にリュックカン等を用いて長さ調節部４２を設けたものであり、後下端をウェストストラップ部３の後回し部に接続している。肩から背に回り込んだ肩紐はそのまま平行に下ろしても交叉させても構わない。ウェストストラップ部３の後回し部はバックル等、適宜の手段によって固定されている。
【００６７】
このようにすると、肩紐４によってウェストストラップ部３を適正に支持することができ、肩紐４の一部に設けた長さ調節部４２によってウェストストラップ部３の高さ位置も自在に調節可能となる。また、このような肩紐４を用いることによって肩への負担は多少は掛かるものの、肩紐４が対をなしている上にウェストストラップ部３がその一部を負担するため、従来のストラップに比して動き難さや背中を痛めるおそれは確実に軽減することができる。
そして、このストラップも上記第４実施形態と同様、変形ギター等のようにボディ背面ネックジョイント部付近にストラップピンを有する構造のギターＧの支持に特段有効なものとなる。
（第７実施形態）
【００６８】
図１３に示すストラップ４０２は、先端が前ストラップ部４２２を兼ねるネックストラップ部４２１と、後ストラップ部４２３とから構成される。
【００６９】
前ストラップ部４２２は、演奏者の首に掛ける首掛け部４２１ａを有したもので、左右２本のストラップラインはそのまま前ストラップ部４２２へと連続しており、この前ストラップ部４２２の先端が束ねられてロックピンや挿通穴などのストラップピン接続部４２２ａが設けてある。一方、後ストラップ部４２３は、図３の後ストラップ部２３等と同様、ベルトやベルト通しを利用してウェスト回りに係合可能な係合部４２３ａを有したもので、先端にロックピンや挿通穴などのエンドピン接続部４２３ｂを有している。
【００７０】
このように構成した場合、第１実施形態と比較して絞り部が存在しない点、途中に脱着部が存在しない点で異なるものであるが、ギターＧをストラップ４０２で支持した状態では、首元から左右のストラップラインが次第に相寄りながら略直線状に垂れ下がって前ストラップ部４２２へと連続することになる。このため、ネクタイ等の下には隠し難いものの、従来のたすき状に掛かるストラップほど見栄えを大きく損なうものとはならず、構造がシンプルである上に、ネックストラップ部４０２を通して首の付け根に荷重が掛かり肩への負担がなくなる点、首とウェストで負荷を分散できる点などにおいては上記第１実施形態と全く同様の効果を奏するものとなる。
（第８実施形態）
【００７１】
図１４に示すストラップ５０２は、前記第１実施形態と同様、ネックストラップ部５２１に絞り部５２１ｂを有するものの、この絞り部５２１ｂは三角カン、Ｄカン等により構成されていて図２の絞り部２１ｂのようには長さ調節機能を備えておらず、絞り部の下方に別個にリュックカン等による長さ調節部５２１ｅを設けている。そして、この絞り部５２１ｅの下方に前ストラップ部５２２を連設している。ネックストラップ部５２１の首掛け部５２１ａは、上記絞り部５２１ｂによって首元で閉じられており、この絞り部５２１ｂが丁度ネクタイの結び目の下に位置するようにして、絞り部５２１ｂの下方のストラップラインが略完全にネクタイの幅寸法内に隠れ、図２及び図４のものよりも更に見栄えが向上するようにしている。後ストラップ部５２３は、図３の後ストラップ部２３等と同様、ベルトやベルト通しを利用してウェスト回りに係合可能な係合部５２３ａを有したもので、先端にロックピンや挿通穴などのエンドピン接続部５２３ｂを有している。
【００７２】
加えて、このネックストラップ部５２１には、背後に図１５に示す背ストラップ部５２４が連設してある。この背ストラップ部５２４は、図７に示す集束カン２５を用いて一対のストラップラインを束ねているもので、各ストラップ紐２０ａ、２０ｂは集束カン２５の上方においてネックストラップ部５２１を構成し、集束カン２５の下方において背ストラップ部５２４を構成している。そして、ネックストラップ部５２１を構成するストラップ紐２０ｂにバックル等による脱着部５２１ｘを設け、この脱着部５２１ｘを通じて首掛け部５２１ａの開閉を行い得るようにしている。
【００７３】
このようにすることで、図１４に示すネックストラップ部５２１の脱着を簡易かつ適切に行うことを担保し、また背ストラップ部５２４を設けることによって図６及び図７に関して述べた効果と同様の効果を奏することができる。
【００７４】
なお、この背ストラップ部５２４を採用することなく、図１４のネックストラップ部５２１の首掛け部５２１ａの背面側に左右から回り込むストラップラインを接続する位置に脱着部を設けるようにしても勿論構わない。このようにしても、脱着部の脱着操作を通じて首掛け部５２１ａの開閉を有効に行うことができる。
【００７５】
以上、本発明のいくつかの実施形態について説明したが、本発明の効果を再度まとめると以下のようになる。
【００７６】
従来のギターストラップでは、片肩から背中にかけてたすき状にストラップがかかっているため、ライブ、コンサート等での演奏時にステージ上でパフォーマンスする際、ストラップが肩からはずれてギターが落下破損し、更には演奏が中断する事故も少なくなかったが、本発明によるとこのような事故を有効に回避することが可能となる。
【００７７】
従来のギターストラップは片肩から背中にかけてストラップがかかっているため、演奏時にステージ上でパフォーマンスする際、ステージ衣装の片肩、背中部分を傷めてしまう事があったが、本発明のネックストラップ部やウェストストラップ部を用いてギターを固定すると、上記の不具合が有効に改善される。
【００７８】
従来のギターストラップは片肩から背中にかけてストラップがたすき状にかかっているため、ライブハウス、コンサートホール、野外等の演奏場でライブ、コンサートを行う際、スポットライト等による発汗によりストラップ部分が蒸れてしまい、不衛生の原因となるほか、汗染み等によるステージ衣装のダメージ、ストラップの脱色、皮膚への悪影響があったが、本発明によるとこれらを有効に改善する事ができる。
【００７９】
従来のギターストラップは片肩から背中にかけてストラップがたすき状にかかっているため、全国ツアー等で頻繁にライブ、コンサート等の演奏を行う者や、ギター演奏を職業とする者等にとって、結構な重量があるギターその他の弦楽器を従来のストラップで支持すれば片肩の僧帽筋への過大な負担となって、肩こりなどの疲労や肩を痛めるケースが多い事は周知であったが、本発明によるとこれらを有効に改善することができる。
【００８０】
従来のギターストラップではほとんどの者が演奏終了後ギターにストラップを付けたまま壁等に立てかけたり、ギタースタンドを利用するので、ストラップに足等をひっかけてギターを倒し破損する事故が多かったが、本発明はバックル等の脱着部を採用し、演奏終了後ワンタッチでギターとストラップの一部を分離する事ができるので、上記の様な事故を防止することができる。
【００８１】
ギターはボディー部分にストラップを取り付けるストラップピン（ボディー前部）とエンドピン（ボディー後部）２箇所を有し構成されている。従来のギターストラップは片肩から背中にかけて１本のストラップが、ストラップピンとエンドピンにたすき状にかかっているため、ストラップピンとエンドピンに対してストラップの長さをそれぞれ独立して調整する事ができなかったが、本発明のうち例えばネックストラップ部と腰サイドに取り付けるストラップの２つの要素から構成されるもの等では、ストラップピンとエンドピンに対してそれぞれ独立して個々のストラップの長さを調整することが可能となる。これにより、一層細やかなボディー位置上下の調整が可能となり、それぞれ異なるギタープレイヤーに応じたベストポジションを獲得する事が可能となる。
【００８２】
従来のギターストラップでは片肩から背中にかけてたすき状にストラップがかかっているため、ストラップが露出していたが、本発明は着衣の中でストラップを用いてギターを固定することができるので、ストラップをストラップピン（ボディー上部）とエンドピン（ボディー下部）に取り付ける迄のストラップラインの露出が殆どなく、ストラップのラインを隠し、ステージ上の見栄えの向上に資するものとなる。特にステージ衣装の背中部分がデザインされたものや、装飾品又は飾りを有する衣装を使用する場合には非常に有効となものとなる。
【００８３】
本発明は、既存のストラップピン及びエンドピンにそのまま適用することができるので、ヴィンテージギター等の大切で高価なギターに穴開加工を施しストラップピンを移動させる等といった手法を要することなくほとんどのギターに使用する事ができる。そして、何れのストラップ構成要素もシンプルであり、ストラップ紐を初め、絞り部や長さ調節部、脱着部などに既存部品を使用することができるので、量産性を損なわず、このストラップを廉価にて大量に供給することが可能となる。
【００８４】
ライブ、コンサート等では各演奏曲の変わり目に時間がとれない場合が多いが、従来のストラップでは、背中付近に長さ調節部があり長さ調整に時間がかかるので、ライブ、コンサート等の演奏中、曲目に応じてボディーの位置を変更したいというプレイヤーの希望が叶い難かった。これに対して、本発明は数秒で長さ調節が可能となり、且つストラップピン、エンドピンを支持するストラップ部分をそれぞれ独立して長さ調節することができる。これらから、曲目に応じてストラップの長さを調節しボディーのポジションを変更したいプレイヤーには非常に有効なものとなる。具体的には、この曲は始まりから終わりまでほとんどがコードで構成されているのでボディーを下のポジションに調整しライブアクションを強調したい、この曲はソロがあるので高めのポジションに調節したい等々、これまでには実現されなかったプレイヤーの要望に迅速且つ簡易的に応える事ができる。
【００８５】
さらに、従来のギターストラップは片肩から背中にかけてストラップがたすき状にかかっているため、演奏者の目線から見て第６弦の背後に第５弦〜第１弦が隠れ、意図的にギターを６弦全てが見える方向に起こさなければ弾き難い状態にあったが、本発明の後ストラップ部が位置変更可能（必ずしもスライドするものに限られない）であるものは、後ストラップ部をウェストの後方に移動させることによって第１弦までを自然な姿勢で視認できるようにギターを起こすことができ、弾き易さを格段に向上させることができる。
【００８６】
なお、各部の具体的な構成は、上述した実施形態に限定されるものではない。
【００８７】
例えば、上記第２実施形態では、図２に示すストラップを構成するネックストラップ部２１の背面側に図６に示す背ストラップ部２４を設ける場合を例示したが、その変形として、図８に示すストラップを構成するネックストラップ部１０２の背面側に図６に示す背ストラップ部２４を設ける態様も可能である。或いは、上記第５実施形態では、図１１に示すようにコルセット状のウェストストラップ部１０３に前ストラップ部３２２及び後ストラップ部３２３を取り付けるようにしたが、この後ストラップ部３２３に替えて図３の後ストラップ部２３を用いる態様も勿論可能である。
【００８８】
また、ストラップの素材にはナイロン、ポリプロピレン、ポリエステル等の合成繊維を初めとして、布や皮、合成皮革など種々のものを用いることができ、接続カンや回転カン、脱着部、集束カンも、樹脂や金属など種々のものを用いることができる。
【００８９】
また、本発明は、ギターとして、コントラバス等のウッドベースやアップライトベース以外の弦楽器、例えば代表的なエレクトリックベースであるジャズベースタイプやプレシジョンベースタイプ、他には、アコースティックベース、セミアコースティックベース、フォークギター、前ストラップピン及び後ストラップピンを加工して取り付けたクラシックギター、アコースティックギター、エレクトリックアコースティックギター（エレアコ）、フルアコースティックギター、セミアコースティックギター、または、エレクトリックギターの代表的なボディー構造の種類として、ストラトキャスタータイプ、レスポールタイプ、テレキャスタータイプ、ジャズマスタータイプ、ジャガータイプ、ムスタングタイプ、ＳＧタイプ、フライングＶタイプ、エクスプローラータイプ、ファイヤーバードタイプ、その他、サイレントギター、スピーカー・アンプ内臓エレクトリックギターなど、あらゆるギター・ベースに対応することが可能である。
【００９０】
その場合、大切なギター・ベースに穴を開けてストラップピンを移動する加工等を要することなく、ほとんどのエレクトリックギター・ベース等に使用する事ができるのは上述した通りであるが、もちろん頻繁に行われる、ストラップピンを移動させる加工を施せば、全てのギターに使用することが可能となる。
【００９１】
また、ギター・ベース以外にも、前ストラップピン及び後ストラップピンを有する弦楽器（例えばバンジョーなど）に適用した場合には、上記と同様の作用効果が奏される。
【００９２】
その他の構成も、上述した実施形態のみに限定されるものではなく、例えば、ネックストラップ部にピックホルダーを設けたり、ウェストストラップ部にトランスミッターを取り付けるなど、本発明の趣旨を逸脱しない範囲で種々変形が可能である。
【図面の簡単な説明】
【００９３】
【図１】本発明が適用されるギターの一般的構成を示す図。
【図２】本発明の第１実施形態を使用状態において示す図。
【図３】同実施形態の後ストラップ部を拡大して示す図。
【図４】同実施形態を着衣状態で示す図。
【図５】同実施形態の背面図。
【図６】本発明の第２実施形態を使用状態において示す背面図。
【図７】第２実施形態の変形例を示す図。
【図８】本発明の第３実施形態を使用状態において示す図。
【図９】第３実施形態の変形例を示す図。
【図１０】本発明の第４実施形態を使用状態において示す図。
【図１１】本発明の第５実施形態を使用状態において示す図。
【図１２】本発明の第６実施形態を使用状態において示す図。
【図１３】本発明の第７実施形態を使用状態において示す図。
【図１４】本発明の第８実施形態を使用状態において示す図。
【図１５】図１４の背面図。
【符号の説明】
【００９４】
Ｇ…弦楽器（ギター）
１ａ…ボディ前部
１ｂ…ボディ後部
１ｃ…ボディ
２、１０２…ストラップ
３、１０３…ウェストストラップ部
４…肩紐
１１…ストラップピン
１２…エンドピン
２１、１２１…ネックストラップ部
２１ａ…首掛け部
２１ｂ、１２１ｂ…絞り部、長さ調節部
２２、１２２、２２２…前ストラップ部
２３、１２３、２２３…後ストラップ部
２３ａ…係合部
２２ａ、１２２ａ、２２２ｃ…ストラップピン接続部
２３ｂ、１２３ｂ…エンドピン接続部
２３ｄ、１２２ｂ、１２３ｄ、２２２ｂ…長さ調節部
２４…背ストラップ部
【図１】
2007316151.tif 000003
【図２】
2007316151.tif 000004
【図３】
2007316151.tif 000005
【図４】
2007316151.tif 000006
【図５】
2007316151.tif 000007
【図６】
2007316151.tif 000008
【図７】
2007316151.tif 000009
【図８】
2007316151.tif 000010
【図９】
2007316151.tif 000011
【図１０】
2007316151.tif 000012
【図１１】
2007316151.tif 000013
【図１２】
2007316151.tif 000014
【図１３】
2007316151.tif 000015
【図１４】
2007316151.tif 000016
【図１５】
2007316151.tif 000017
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者の首に掛ける首掛け部を有するネックストラップ部とを具備し、前ストラップ部はボディ前部の定位置にある前記前ストラップピンの１点のみでボディ前部の荷重を支持するものであり、後ストラップ部はそれのみで後ストラップピンを介してボディ後部の荷重を支持するものであって、ネックストラップ部の下方に前記前ストラップ部を連設し、後ストラップ部の他の一部に設けた係合部を演奏者の腰回りに巻回したベルトに係合部を介し係合させて、弦楽器のボディ前部の荷重を前ストラップ部及びネックストラップ部を介して首に支持させ、弦楽器のボディ後部の荷重を後ストラップ部を介してベルトに支持させ、これにより演奏者の肩及び背中を開放し得るようにしたことを特徴とする弦楽器用ストラップ。
【請求項２】
前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者の首に掛ける首掛け部を有するネックストラップ部とを具備し、前ストラップ部はボディ前部の定位置にある前記前ストラップピンの１点のみでボディ前部の荷重を支持するものであり、後ストラップ部はそれのみで後ストラップピンを介してボディ後部の荷重を支持するものであって、このネックストラップ部が、前記首掛け部の下方に一対のストラップラインを束ねる絞り部を備え、この絞り部の下方に前記前ストラップ部を連設し、後ストラップ部の他の一部に設けた係合部を演奏者の腰回りに巻回したベルトに係合部を介し係合させて、弦楽器のボディ前部の荷重を前ストラップ部及びネックストラップ部を介して首に支持させ、弦楽器のボディ後部の荷重を後ストラップ部を介してベルトに支持させ、これにより演奏者の肩及び背中を開放し得るようにしたことを特徴とする弦楽器用ストラップ。
【請求項３】
後ストラップ部の係合部が、ベルトに沿ってウェスト回りに位置変更可能とされていることを特徴とする請求項１又は２記載の弦楽器用ストラップ。
【請求項４】
少なくともネックストラップ部又は前ストラップ部の一部に長さ調整部を設けていることを特徴とする請求項１〜３記載の弦楽器用ストラップ。
【請求項５】
後ストラップ部にも長さ調整部を設け、前ストラップ部の調節部及び後ストラップ部の調節部を独立して長さ調節可能としていることを特徴とする請求項４記載の弦楽器用ストラップ。
【手続補正２】
【補正対象書類名】明細書
【補正対象項目名】全文
【補正方法】変更
【補正の内容】
【発明の詳細な説明】
【技術分野】
【０００１】
本発明は、弦楽器の演奏に特に適した使用状態を与える弦楽器用ストラップに関するものである。
【背景技術】
【０００２】
従来のギターやベースのストラップは、ボディ前部に付帯する前ストラップピンとボディ後部に付帯する後ストラップピンとにストラップを脱着可能に掛け渡して取り付けるようにしているのが通例である。すなわち、演奏姿勢では片肩から背中にかけてたすき状にストラップが掛かった状態をなしている。これは特許文献を引用するまでもなく周知であり、また特に引用すべき特許文献も見当たらないが、強いて挙げるならば下記の非特許文献１〜３が参考となる。
【非特許文献１】GibsonGearホームページ、［online］、平成１８年５月１０日、［平成１８年５月１８日検索］、インターネット＜URL：http://www.gibson.com/Products/Accessories/Gear/Accessories/Straps/＞
【非特許文献２】Fenderホームページ、［online］、平成１８年４月２６日、［平成１８年５月１８日検索］、インターネット＜URL：http://www.fender.jp/catalogue/sa/straps.php/＞
【非特許文献３】ARIAホームページ、［online］、平成１８年１月１７日、［平成１８年５月１８日検索］、インターネット＜URL：http://www.ariaguitars.com/jp/02prod/03acce/strap00.html＞
【発明の開示】
【発明が解決しようとする課題】
【０００３】
しかしながら、このように片肩から背中にかけてたすき状にストラップが掛かっていると、ライブ、コンサート等の演奏時にストラップが片肩から外れたときに、ギターが落下破損し、さらにはライブ、コンサート等の中断を招く場合があった。また、ストラップラインが露出してステージ上の見栄えが悪く、肩への疲労も大きくなるという問題があった。特に、ストラップが掛かる位置には左右に僧帽筋という筋肉が位置しており、一方の僧帽筋のみに負荷が掛かると、いわゆる肩こりと呼ばれる症状が起こることが知られており、まさにストラップのたすき掛けは肩こりを助長する支持構造であると言うことができる。
【０００４】
さらに、演奏でのパフォーマンス時に、たすき状に掛かったストラップで演奏者の体やステージ衣装の片肩、背中部分を傷めてしまうという問題や、スポットライト等による発汗により、体と密着しているストラップ部分が蒸れてしまい、汗染み等によるステージ衣装の痛み、ダメージ、皮膚への悪影響が大きくなるという問題等もあった。
【０００５】
さらに、従来のストラップは、前ストラップピン及び後ストラップピンに対してストラップの長さをそれぞれ独立して調整する事ができないため、ギターの種類や演奏者の体格等に応じたベストポジションを獲得する事が難しいという問題があった。
【０００６】
さらにまた、ストラップが大きなループ状をなしているため、演奏終了後にストラップをつけたままで楽器を壁やスタンドなどに立てかけている最中に、ストラップに足等を引っ掛けて楽器を倒し破損に至る事故が多かった。
【０００７】
本発明は、大切なギター・ベースに穴を開けてストラップピンを移動する加工等を要することなく、ほとんどのエレクトリックギター・ベース等に使用する事ができて、これらの課題を有効に解決することのできる画期的な弦楽器用ストラップを新たに提供することを目的としている。
【課題を解決するための手段】
【０００８】
本発明は、かかる目的を達成するために、次のような手段を講じたものである。
【０００９】
すなわち、本発明の弦楽器用ストラップは、前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者の首に掛ける首掛け部を有するネックストラップ部とを具備し、前ストラップ部はボディ前部の定位置にある前記前ストラップピンの１点のみでボディ前部の荷重を支持するものであり、後ストラップ部はそれのみで後ストラップピンを介してボディ後部の荷重を支持するものであって、ネックストラップ部の下方に前記前ストラップ部を連設し、後ストラップ部の他の一部に設けた係合部を演奏者の腰回りに巻回したベルトに係合部を介し係合させて、弦楽器のボディ前部の荷重を前ストラップ部及びネックストラップ部を介して首に支持させ、弦楽器のボディ後部の荷重を後ストラップ部を介してベルトに支持させ、これにより演奏者の肩及び背中を開放し得るようにしたことを特徴とする。
【００１０】
このように構成すると、ライブ、コンサート等の演奏時にネックストラップ部が不慮に外れるおそれがないため、ギターの落下破損、更にはライブ、コンサート等の中断を招く不都合を解消することができる。また、弦楽器の荷重が主として首の左右の付け根に掛かり片肩の僧帽筋への集中負担となることがないため、肩を痛めたり、肩に疲労が蓄積することも解消することができる。さらに、体に対する拘束が少ないため、動き易く演奏に適した状態を確保することができる。さらにまた、後ストラップ部については、上方にベルトに係合可能な係合部を有し下方に後ストラップピン接続部を有するものとすることで、弦楽器の荷重が首の左右の付け根と腰の３点に分散されるので、首への負担を軽減することができる。しかも、後ストラップ部はウェスト回りに巻回したベルトに係合させるので、着衣の下にストラップラインをほぼ隠すことができ、ネックストラップ部と相まって全体として弦楽器を浮いたような状態で支持することが可能となる。
【００１１】
或いは、本発明の弦楽器用ストラップは、前ストラップピン及び後ストラップピンを有する弦楽器に適用可能なものであって、弦楽器のボディ前部に付帯する前ストラップピンに対して脱着可能な前ストラップピン接続部を有する前ストラップ部と、弦楽器のボディ後部に付帯する後ストラップピンに対して脱着可能な後ストラップピン接続部を有する後ストラップ部と、演奏者の首に掛ける首掛け部を有するネックストラップ部とを具備し、前ストラップ部はボディ前部の定位置にある前記前ストラップピンの１点のみでボディ前部の荷重を支持するものであり、後ストラップ部はそれのみで後ストラップピンを介してボディ後部の荷重を支持するものであって、このネックストラップ部が、前記首掛け部の下方に一対のストラップラインを束ねる絞り部を備え、この絞り部の下方に前記前ストラップ部を連設し、後ストラップ部の他の一部に設けた係合部を演奏者の腰回りに巻回したベルトに係合部を介し係合させて、弦楽器のボディ前部の荷重を前ストラップ部及びネックストラップ部を介して首に支持させ、弦楽器のボディ後部の荷重を後ストラップ部を介してベルトに支持させ、これにより演奏者の肩及び背中を開放し得るようにしたことを特徴とする。
【００１２】
このように構成すると、上記の作用効果に加えて、首から回り込んだ一対のストラップラインは首掛け部の下方に設けた絞り部において体の中心付近に束ねられるため、ストラップラインを着衣の下或いはネクタイの下などに隠すことが容易となり、見栄えを格段に向上させることができる。
【００１３】
この場合、後ストラップ部の係合部が、ベルトに沿ってウェスト回りに位置変更可能とされていると、後ストラップ部の係合部の位置を腰のサイドから後方に回り込ませることによって、エンドピンが後方に引かれてギターのボディがウェスト回りに移動し、その際にボディの下半部が大腿部に乗り上げる形になるので、第６弦の背後に第５弦〜第１弦が重なった状態から第１弦目までが目視できる方向にギターが起き上がる作用が生じるので、フレットも同時に目視できるようになる事と相まって、通常姿勢でも指押さえがし易い状態となる。このため、演奏状態を改善する効果も見込めるものとなる。
【００１４】
上記において、少なくともネックストラップ部又は前ストラップ部の一部に長さ調整部を設けておけば、少なくともヘッドの高さを調整して弦楽器の傾きを変えることができるので、べストポジションをとり易くなる。
【００１５】
更に進んで、後ストラップ部にも長さ調整部を設け、前ストラップ部の調節部及び後ストラップの調節部を独立して長さ調節可能としておけば、ボディー全体の高さ位置や傾きを体格や好みに応じて個別に調整することができ、より的確なベストポジションをとることができるようになる。
【発明の効果】
【００１６】
本発明は、以上説明した構成であるから、弦楽器を首や腰で支持してストラップの不慮の脱落を防止するとともに、演奏者の負担にならないようにすることができ、動きに対する拘束も少なく、着衣の下にも好適に隠してステージ上の見栄えも向上させ得るようにした新規有用なストラップを提供することが可能となる。勿論、このようなストラップを従来のストラップと併用し、従来のストラップにより肩に掛けたり、本発明のストラップにより首に吊るし或いはウェストに支持させたりすることで、体への負担をより有効に分散する利用形態も可能となる。
【発明を実施するための最良の形態】
【００１７】
以下、本発明の幾つかの実施形態を、前ストラップピン及び後ストラップピンを有する弦楽器としてギターを採り上げつつ、図面を参照して説明する。なお、以下において、後ストラップピンをエンドピンと称し、前ストラップピンを単にストラップピンと称する。
【００１８】
この実施形態で例示するエレクトリックギター・ベース（以下、単に「ギターＧ」と称する）は、図１（ａ）に示すように、ボディ１の前部(ボディ上部とも通称される)１ａにストラップピン１１が付帯し、ボディ１の後部（ボディ下部とも通称される）１ｂにエンドピン１２が付帯する通常のものである。大抵のギターＧは、ボディ前部１ａがネックジョイント部１３からネック１４の幅方向に広がっており、そのうちピックガード１ｃの反対側に位置する部位の端面にストラップピン１１が立っている。ただし、いわゆるフライングＶ等々の変形ギターと称されるギターＧ、又はその他一部の種類のギターＧは、図１（ｂ）に示すように、ボディ背面のネックジョイント部付近にストラップピン１１が演奏者側に立っており、本発明はこのような態様にも適用できるものである。エンドピン１２はボディ後部１ｂの端面に立っている。
【００１９】
そして、従来のストラップは、ストラップピンとエンドピンの間に大きなループをなすように掛け渡し、これを片肩から背にかけてたすき状に掛けて利用するものであったが、本実施形態のストラップは、以下に述べるように異なる構造及び使用状態を実現しているものである。
（第１実施形態）
【００２０】
この実施形態のストラップ２は、図２〜図５に示すように、ネックストラップ部２１、前ストラップ部２２及び後ストラップ部２３から構成されている。
【００２１】
ネックストラップ部２１は、演奏者の首に掛けるループ状の首掛け部２１ａを有し、この首掛け部２１ａの下方に一対のストラップラインを束ねる絞り部２１ｂをリュックカン等により構成して、その下方に回転カン２１ｃを配置している。首掛け部２１ａのうち首に直接接触する部分にはやや厚肉で柔らかい素材からなるネックガード２１ａ１が設けてある。ストラップラインは絞り部２１ｂの上方において２重、絞り部２１ｂから回転カン２１ｃまでの間において４重をなしており、絞り部２１ｂの位置を調節することによって４重となる領域の長さ（したがって２重となる領域の長さ）を変えてネックストラップ部２１全体の長さ調節が行えるようにしている。すなわち、この絞り部２１ｂは長さ調節部を兼ねている。回転カン２１ｃは軸部を介して上部Ｄカン２１ｃ１と下部Ｄカン２１ｃ２とを相対回転可能に接続した通常のもので、ストラップ２のねじれ防止の役割を果たしており、その下部Ｄカン２１ｃ２にバックル式の脱着部２２ｘを構成する上脱着要素２１ｄを取り付けている。
【００２２】
前ストラップ部２２は、下端側にストラップピン１１（図１参照）に対して脱着可能なストラップピン接続部２２ａを有し、上端側に前記上脱着要素２１ｄと対になってバックル式の脱着部２２ｘを構成する下脱着要素２２ｂを有したもので、ストラップピン接続部２２ａにはストラップピン１１にワンタッチで脱着できるロックピンや、単にストラップピン１１を挿通して引掛ける構造の挿通穴等が採用される。
【００２３】
後ストラップ部２３は、図３に示すように、ウェスト回りに係合可能な係合部２３ａを有し、下方にエンドピン１２に対して脱着可能なエンドピン接続部２３ｂを有したもので、この実施形態で係合部２３ａはベルト通し（図示省略）に引っ掛けるフック２３ａ１と、ベルトＢに巻き掛けて止めることのできるジャンパーホック２３ａ２の両方を備えている。エンドピン接続部２３ｂはエンドピン１２にワンタッチで脱着できるロックピンのほか、単にストラップピンを挿通して引掛ける構造の挿通穴等であってもよい。係合部２３ａとエンドピン接続部２３ｂとの間は、この実施形態では回転カン２３ｃ、リュックカンを用いた長さ調節部２３ｄ、及び脱着要素２３ｅ１、２３ｅ２を用いたバックル式の脱着部２３ｅが設けてある。
【００２４】
演奏者がこのストラップを使用する際は、首にネックストラップ部２１の首掛け部２１ａを掛け、上脱着要素２１ｄを前ストラップ部２２の下脱着要素２２ｂに接続するとともに、後ストラップ部２３を右利きであれば右サイド、左利きであれば左サイドのウェスト回りに取り付けて、この後ストラップ部２３の脱着部２３ｅを接続することにより、ギターＧを演奏可能な状態に保持することができる。演奏後は、上記脱着要素２１ｄ、２２ｂの間を解除し、脱着部２３ｅを解離することによって、ネックストラップ部２１や後ストラップ部２３からギターＧを取り外すことができる。
【００２５】
このように構成すると、演奏でのパフォーマンス時にネックストラップ部２１が不慮に外れるおそれがないため、ギターの破損や、ライブ、コンサート等の中断を招く不都合を解消することができる。また、ギターＧの荷重が主として首に掛かり肩への大きな負担とならないため、肩を痛めたり、肩に疲労が蓄積することも有効に解消することができる。しかも、首掛け部２１ａの下方に絞り部２１ｂが設けてあり、首から回り込んだ一対のストラップラインはこの絞り部２１ｂにおいて体の中心付近に束ねられるため、図４に示すようにスーツ等のステージ衣装にてライブ、コンサート等の演奏を行う際に、ストラップラインをネクタイＮの下などに隠すことが容易となり、且つ背中にストラップラインがなくなるためステージ上のプレイヤーの見栄えを格段に向上させることができる。勿論ステージ衣装が図５に示すようなシャツやＴシャツ、或いはジャケット、もしくは図２に示すように衣類を身にまとわず上半身を露出させてライブ、コンサート等の演奏を行う場合等であっても、プレイヤーのステージ上の見栄えを向上させることができる。また、これらの図に明らかなように、体に対する拘束が少ないため、動き易く演奏に適した状態も確保することが可能である。
【００２６】
特に、本実施形態では、ギターＧの荷重の一部が前ストラップ部２２及びネックストラップ部２１を介して首に掛かり、残りが後ストラップ部２３を介して腰に掛かるようにしてあり、首と腰で荷重が分散されるので、首への負担を有効に軽減することができる。しかも、後ストラップ部２３はズボンＺを利用してウェスト回りに掛け止めるものであるので、図２→図４のようにスーツやジャケット等を着ればこの後ストラップ部２３のストラップラインも着衣の下にほぼ隠すことができ、ネックストラップ部２１と相まって全体としてギターＧを浮いたような状態で支持することが可能となる。
【００２７】
この場合、後ストラップ部２３の係合部２３ａは、ベルトＢに沿ってウェスト回りにスライド可能であるため、後ストラップ部２３の係合部２３ａの位置を、例えば図３に矢印Ｙ１で示すように腰サイドから後方に回り込ませることによって、エンドピン１２が矢印Ｙ２のように後方に引かれてギターＧのボディ１がウェスト回りに移動し、その際にボディの裏面下側が下腹部の位置から大腿部に乗り上げる形になるので、演奏者の目線から見て第６弦の背後に第５弦〜第１弦が重なった調整前状態から、図４に想像線及び矢印Ｙ３に示すように第１弦目まで目視できる方向にギターが起き上がる作用が生じる。このときフレットも同時に目視できるようになり、また、ベグが設けられているネックの先端（ヘッド）がネックストラップ部２１及び前ストラップ部２２による規制の中で演奏者の前上方に起立する方向に移動してボディ１が若干立つような形になるので、これらが相まって、通常姿勢でも指押さえのし易い演奏状態が得られ、ギターの保持状態を改善する効果も見込めるものとなる。
【００２８】
さらに、図５に示すように演奏者の背部において首掛け部２１ａから下方の背中部分にストラップラインが存在せず、背中がストラップから完全に解放されるので、背中を痛めることがなくなるだけでなく、発汗等によるストラップ部分の蒸れやそれに起因する種々の不具合も解消することができる。
【００２９】
さらにまた、ネックストラップ部２１及び後ストラップ部２３の双方に長さ調整部２１ｂ、２３ｄを設けており、それらを独立して調節することができるため、ボディー１の高さ位置や傾きを体格や好みに応じて個別に調整することができ、より的確なベストポジションを獲得することができるようになる。
【００３０】
加えて、脱着部２２ｘ、２３ｅを外せばストラップ２が前ストラップ部２２と後ストラップ部２３に分断された状態になり、大きなループ状をなすことがないため、演奏終了後にストラップ２の一部をつけたままでギターＧを壁やスタンドなどに立てかけている状態でストラップ２の一部に足等を引っ掛けてギターＧを倒し破損に至る事故なども解消することができる。
【００３１】
なお、ネックストラップ部２１のみ、或いは前ストラップ部２２のみに調整部を設けても、少なくともヘッドの高さを調整してギターＧの傾きを変えることができるので、ベストポジションをとり易くなる点で依然として有効である。また、上記実施形態ではネックストラップ部２１と前ストラップ部２２の間に脱着部２２ｘが設けてあるが、ネックストラップ部と前ストラップ部は不離一体に、つまりネックストラップ部の先端が前ストラップ部をなすように構成しても構わない。さらに、回転カン２１ｃはストラップのねじれを防止するために設けているものではあるが、ねじれがさほど問題にならない場合にはこれを省略することができる。ネックガード２１ａ１もシャツの上からストラップを首に掛ける場合等には必ずしも必要なものではない。さらにまた、長さ調節部を全く有しない態様によっても、本発明の基本的な作用効果は奏することができる。
（第２実施形態）
【００３２】
この実施形態は、上記第１実施形態のストラップ２に、更に図６に示すように、演奏者の背部においてネックストラップ部２１を構成する首掛け部２１ａとウェスト回りとの間を接続する背ストラップ部２４を設けたものである。
【００３３】
この実施形態におけるネックストラップ部２１には、演奏者の背部に位置する部位に三角カン、Ｄカン等の接続カン２１ｐが介在させてあり、この接続カン２１ｐの下方に背ストラップ部２４を連設している。背ストラップ部２４は、上記接続カン２１ｐの下方に接続カン２１ｑを介して接続されたもので、接続カン２１ｑからストラップラインが二股に分岐させてあり、その各々にリュックカン等の長さ調節部２４ｂを介してジャンパーホック等の止着部２４ｃを設けたものである。
【００３４】
演奏時には、ネックストラップ部２１の首掛け部２１ａを首に通し、背面に垂れ下がった止着部２４ｃをズボンＺのベルトＢに巻き付けて止めるなどすれば、この背ストラップ部２４のセットを完了することができる。
【００３５】
このようにすると、ネックストラップ部２１から首周辺に掛かる負荷の一部を背ストラップ部２４で分担することができるので、肩はもとより首周辺の疲労軽減等を図る上で有効となる。ストラップラインは背中に逆Ｖ字状に掛かるため、負荷が左右ほぼ均等に分散され、また背中のうち大きく動く肩甲骨あたりにストラップが位置しないため、たすき状に背中に大きく掛かる従来のものほど体への密着度や拘束度は高くならず、動き難さや背中を痛めるおそれも軽減することができる。また、背面からの見栄えは多少犠牲になるものの、正面からの見栄えは上記第１実施形態と全く同様であり、更にこの上から背広等を着用すれば外観は正面、背面ともに上記第１実施形態と全く同様となる。
【００３６】
なお、上記接続カン２１ｐ、２１ｑを用いるかわりに、図７に示すような集束カン２５を用いて同様の機能を実現することもできる。この集束カン２５は、平面視矩形状をなし、対向辺にそれぞれ対をなすスリット２５ｓ１、２５ｓ２を開口させたもので、一対のストラップ紐２０ａ、２０ｂをクロスさせて指し通すようにしている。これにより、各ストラップ紐２０ａ、２０ｂは集束カン２５の上方においてネックストラップ部２１を構成し、集束カン２５の下方において背ストラップ部２４を構成することになって、接続カン２１ｐ、２１ｑを２つ用いる場合に比べて部品点数の削減を図ることができる。
（第３実施形態）
【００３７】
図８に示す本実施形態のストラップ１０２は、前記第１実施形態のネックストラップ部２１とほぼ同様（回転カン２１ｃをとったもの）のネックストラップ部１２１を用い、その脱着部１２２ｘを構成する下脱着要素に三角カン、Ｄカン等の接続カン１２０を接続するとともに、この接続カン１２０に前ストラップ部１２２及び後ストラップ部１２３を二股に分岐させて連設したものである。
【００３８】
前ストラップ部１２２及び後ストラップ部１２３には、それぞれリュックカン等を用いた長さ調節部１２２ｂ、１２３ｄを介してストラップピン接続部１２２ａ及びエンドピン接続部１２３ｂが連設してあり、これらをストラップピン１１及びエンドピン１２に脱着可能に取り付けるようにしている。１２１ｂは絞り部であり、構造は絞り部２１ｂと同様である。
【００３９】
このように構成すると、絞り部１２１ｂから分岐部分までのストラップラインはほぼ真っ直ぐ降りて着衣やネクタイの下にさらに隠れ易く、前ストラップ部１２２及び後ストラップ部１２３も着衣の下に隠し易くなるので、見栄えの向上に資する点で第１実施形態等と同様となる。また、脱着部１２２ｘのみにおいてギターＧの取り外しがワンタッチで行えるため、ステージ上での弦楽器の持ち替え等をより迅速に行えるようになる。
【００４０】
さらに、前後のストラップ部１２２、１２３の調節部１２２ｂ、１２３ｄが独立して調節可能であり、ネックストラップ部１２１にも調節部１２１ｂが設けてあるため、調節の自由度は更に高いものとなる。
【００４１】
さらにまた、前後のストラップ部１２２、１２３がなすループは従来に比して遥かに小さいものであるため、上記実施形態と同様、不使用時に立て掛けた状態で足等を引っ掛けて楽器を倒し破損に至る事故等も有効に防止することができる。
【００４２】
なお、このストラップ１０２に図６に示す背ストラップ部２４を併用しても、上記第２実施形態と同様の効果が奏される。その際、このストラップ１０２は、首から吊り下げているだけで前後の振れに対して拘束がないため、主にエレクトリックベース（アコースティックベース、セミアコースティックベース）を指引きする際に最も適していると言い得る。もちろん、ピックを使用して演奏する場合やエレクトリックギターにも適した弦楽器用ストラップであることに変わりはない。
【００４３】
但し、前後の振れを効果的に抑止したい場合には、必要に応じて図９に示すように前ストラップ部１２２及び後ストラップ部１２３をウェスト背面から巻き回した補助ストラップ部１２５によって連結するようにしてもよい。補助ストラップ部１２５はバックル等の脱着部によってウェスト回りに固定し、リュックカンやバックル等の長さ調節部によってウェスト部分の長さを調整できるものである。このようにすると、ネックストラップ部１２１が体から大きく離れることがなくなるため、演奏中に激しく動いても適正な演奏状態を確保することができる。
【００４４】
また、この実施形態においても、必要であればネックストラップ部に回転カンを用いるなど、種々の変形を加えることが可能である。
（第４実施形態）
【００４５】
この実施形態のストラップは、図１０に示すように、演奏者のウェストに巻かれるウェストストラップ部３を備え、このウェストストラップ部３に前ストラップ部２２２の上部を取り付けるとともに、後ストラップ部２２３をウェスト回りに係合させるようにしたものである。
【００４６】
ウェストストラップ部３は、演奏者のウェストに巻き付けてリュックカン等の長さ調節を兼ねる止着部３１において適宜の締め付け状態を確保するようにしたもので、着用状態でこのウェストストラップ部３の一方のサイド（右利きであれば左サイド、左利きであれば右サイド）に前ストラップ部２２２の上部を取り付けている。取付部分にはウェスト回りにスライド可能なスライドカン２２２ａが採用してあり、適宜の位置に前ストラップ部２２２を調節できるようにしている。この前ストラップ部２２２は、長さ調節部２２２ｂを介してストラップピン接続部２２２ｃへと連なっている。
【００４７】
一方、後ストラップ部２２３は、前記第１実施形態（図３参照）における後ストラップ部２３と同様の構成からなり、取り付け方や使い方等も既に述べた通りである。
【００４８】
このように構成すると、演奏でのパフォーマンス時にウェストストラップ部３が不慮に外れるおそれがないため、ギターの破損や、ライブ、コンサート等の中断を招く不都合を解消することができる。また、ギターＧの荷重が腰に掛かり肩への負担とならないため、肩を痛めたり、肩に疲労が蓄積することも解消することができる。しかも、ウェストストラップ部３は着衣の中にほぼ完全に隠すことができ、前ストラップ部２２２も大半は着衣の下に隠すことができるので、見栄えを格段に向上させることが可能となる。特に、このストラップが適用されているギターＧは、第１実施形態〜第３実施形態のストラトキャスター等の通常のギターとは異なり、図１（ｂ）にも示すフライングＶと称される変形ギターＧである。この種の変形ギターＧや、ＳＧ、エクスプローラ等のボディ背面ネックジョイント部付近にストラップピンを有する構造のギターＧ等の場合、ストラップピン１１がボディの背面から演奏者の方向に突出しており、このようなギターＧに本実施形態のストラップを適用すると、前ストラップ部２２２がウェストへの取付位置からねじれることなく真っ直ぐ下りるので、服の盛り上がりが起こらない点で特に有効となる。また、前ストラップ部２２２をウェスト回りに支持させると、前ストラップ部２２２のストラップピン接続部２２２ｃ自体が図示のように低い位置にくるので、そのストラップピン接続部２２２ｃに図１（ａ）のストラトキャスター等のようにネックジョイント部から離れた位置にストラップピン１１を有するギターＧを支持させるとボディ前部１ａが下り過ぎることとなるが、ネックジョイント部の背面にストラップピン１１が位置する図１（ｂ）や図１０の変形ギターＧ等においては、ストラップピン１１の高さ位置が適切であるため、ボディ前部１ａの位置も適正化される。このため、上記見栄えの観点とも併せて、このストラップは変形ギター等のようにボディ背面ネックジョイント部付近にストラップピンを有する構造のギターＧ等の支持に特段有効なものとなる。
【００４９】
後ストラップ部２２３の係合部をスライドさせることによる演奏状態改善の効果も既に述べたものと同様である。
【００５０】
さらに、ストラップラインが上半身になく、体への拘束がないため、より動き易く演奏に適した状態を確保することができる。不使用時の事故が防げる点も然りである。
（第５実施形態）
【００５１】
図１１に示すものは、上記ウェストストラップ３の変形として、コルセット状のウェストストラップ１０３を用い、両サイドにそれぞれスライドカン３２２ａ、３２３ａを用いて前ストラップ部３２２及び後ストラップ部３２３の上部を位置調節可能に取り付けたものである。
【００５２】
ウェストストラップ１０３は面ファスナー等を利用してウェスト回りに適宜の締め付け状態で装着できるようになっている。
【００５３】
前ストラップ部３２２には、リュックカン等の長さ調節部３２２ｂ及び回転カン３２２ｃを介してストラップピン接続部３２２ｄが設けてあり、後ストラップ部３２３には、リュックカン等の長さ調節部３２３ｂを介してエンドピン接続部３２３ｃが設けてある。
【００５４】
これによると、ウェストストラップ１０３の装着状態が安定する上に、前ストラップ部３２２及び後ストラップ部３２３から掛かる荷重によってウェストストラップ１０３の一部が垂れ下がる等の不都合も回避することができるので、支持状態を確実にし、着衣の盛り上がりを的確に防いでより良好な見栄えを確保することができる。
【００５５】
そして、このストラップも上記第４実施形態と同様、変形ギター等のようにボディ背面ネックジョイント部付近にストラップピンを有する構造のギターＧの支持に特段有効なものとなる。
【００５６】
また、後ストラップ部３２３のスライドカン３２３ａは本発明の係合部をなし、この後ストラップ部３２３もウェスト回りに取付位置をスライド移動させることができるので、上述した演奏状態改善の効果も奏されるものとなる。
（第６実施形態）
【００５７】
図１２に示すものは、図１０のウェストストラップ３に、更に肩紐４を接続して演奏者の肩に掛けることができるようにしたものである。
【００５８】
肩紐４は、ウェストストラップ部３の前回し部の一部にスライドカン４１を設け、このスライドカン４１に左右の肩紐４の前下端を左右スライド可能に取り付けるとともに、それらの中間部にリュックカン等を用いて長さ調節部４２を設けたものであり、後下端をウェストストラップ部３の後回し部に接続している。肩から背に回り込んだ肩紐はそのまま平行に下ろしても交叉させても構わない。ウェストストラップ部３の後回し部はバックル等、適宜の手段によって固定されている。
【００５９】
このようにすると、肩紐４によってウェストストラップ部３を適正に支持することができ、肩紐４の一部に設けた長さ調節部４２によってウェストストラップ部３の高さ位置も自在に調節可能となる。また、このような肩紐４を用いることによって肩への負担は多少は掛かるものの、肩紐４が対をなしている上にウェストストラップ部３がその一部を負担するため、従来のストラップに比して動き難さや背中を痛めるおそれは確実に軽減することができる。
【００６０】
そして、このストラップも上記第４実施形態と同様、変形ギター等のようにボディ背面ネックジョイント部付近にストラップピンを有する構造のギターＧの支持に特段有効なものとなる。
（第７実施形態）
【００６１】
図１３に示すストラップ４０２は、先端が前ストラップ部４２２を兼ねるネックストラップ部４２１と、後ストラップ部４２３とから構成される。
【００６２】
前ストラップ部４２２は、演奏者の首に掛ける首掛け部４２１ａを有したもので、左右２本のストラップラインはそのまま前ストラップ部４２２へと連続しており、この前ストラップ部４２２の先端が束ねられてロックピンや挿通穴などのストラップピン接続部４２２ａが設けてある。一方、後ストラップ部４２３は、図３の後ストラップ部２３等と同様、ベルトやベルト通しを利用してウェスト回りに係合可能な係合部４２３ａを有したもので、先端にロックピンや挿通穴などのエンドピン接続部４２３ｂを有している。
【００６３】
このように構成した場合、第１実施形態と比較して絞り部が存在しない点、途中に脱着部が存在しない点で異なるものであるが、ギターＧをストラップ４０２で支持した状態では、首元から左右のストラップラインが次第に相寄りながら略直線状に垂れ下がって前ストラップ部４２２へと連続することになる。このため、ネクタイ等の下には隠し難いものの、従来のたすき状に掛かるストラップほど見栄えを大きく損なうものとはならず、構造がシンプルである上に、ネックストラップ部４０２を通して首の付け根に荷重が掛かり肩への負担がなくなる点、首とウェストで負荷を分散できる点などにおいては上記第１実施形態と全く同様の効果を奏するものとなる。
（第８実施形態）
【００６４】
図１４に示すストラップ５０２は、前記第１実施形態と同様、ネックストラップ部５２１に絞り部５２１ｂを有するものの、この絞り部５２１ｂは三角カン、Ｄカン等により構成されていて図２の絞り部２１ｂのようには長さ調節機能を備えておらず、絞り部の下方に別個にリュックカン等による長さ調節部５２１ｅを設けている。そして、この絞り部５２１ｅの下方に前ストラップ部５２２を連設している。ネックストラップ部５２１の首掛け部５２１ａは、上記絞り部５２１ｂによって首元で閉じられており、この絞り部５２１ｂが丁度ネクタイの結び目の下に位置するようにして、絞り部５２１ｂの下方のストラップラインが略完全にネクタイの幅寸法内に隠れ、図２及び図４のものよりも更に見栄えが向上するようにしている。後ストラップ部５２３は、図３の後ストラップ部２３等と同様、ベルトやベルト通しを利用してウェスト回りに係合可能な係合部５２３ａを有したもので、先端にロックピンや挿通穴などのエンドピン接続部５２３ｂを有している。
【００６５】
加えて、このネックストラップ部５２１には、背後に図１５に示す背ストラップ部５２４が連設してある。この背ストラップ部５２４は、図７に示す集束カン２５を用いて一対のストラップラインを束ねているもので、各ストラップ紐２０ａ、２０ｂは集束カン２５の上方においてネックストラップ部５２１を構成し、集束カン２５の下方において背ストラップ部５２４を構成している。そして、ネックストラップ部５２１を構成するストラップ紐２０ｂにバックル等による脱着部５２１ｘを設け、この脱着部５２１ｘを通じて首掛け部５２１ａの開閉を行い得るようにしている。
【００６６】
このようにすることで、図１４に示すネックストラップ部５２１の脱着を簡易かつ適切に行うことを担保し、また背ストラップ部５２４を設けることによって図６及び図７に関して述べた効果と同様の効果を奏することができる。
【００６７】
なお、この背ストラップ部５２４を採用することなく、図１４のネックストラップ部５２１の首掛け部５２１ａの背面側に左右から回り込むストラップラインを接続する位置に脱着部を設けるようにしても勿論構わない。このようにしても、脱着部の脱着操作を通じて首掛け部５２１ａの開閉を有効に行うことができる。
【００６８】
以上、本発明のいくつかの実施形態について説明したが、本発明の効果を再度まとめると以下のようになる。
【００６９】
従来のギターストラップでは、片肩から背中にかけてたすき状にストラップがかかっているため、ライブ、コンサート等での演奏時にステージ上でパフォーマンスする際、ストラップが肩からはずれてギターが落下破損し、更には演奏が中断する事故も少なくなかったが、本発明によるとこのような事故を有効に回避することが可能となる。
【００７０】
従来のギターストラップは片肩から背中にかけてストラップがかかっているため、演奏時にステージ上でパフォーマンスする際、ステージ衣装の片肩、背中部分を傷めてしまう事があったが、本発明のネックストラップ部やウェストストラップ部を用いてギターを固定すると、上記の不具合が有効に改善される。
【００７１】
従来のギターストラップは片肩から背中にかけてストラップがたすき状にかかっているため、ライブハウス、コンサートホール、野外等の演奏場でライブ、コンサートを行う際、スポットライト等による発汗によりストラップ部分が蒸れてしまい、不衛生の原因となるほか、汗染み等によるステージ衣装のダメージ、ストラップの脱色、皮膚への悪影響があったが、本発明によるとこれらを有効に改善する事ができる。
【００７２】
従来のギターストラップは片肩から背中にかけてストラップがたすき状にかかっているため、全国ツアー等で頻繁にライブ、コンサート等の演奏を行う者や、ギター演奏を職業とする者等にとって、結構な重量があるギターその他の弦楽器を従来のストラップで支持すれば片肩の僧帽筋への過大な負担となって、肩こりなどの疲労や肩を痛めるケースが多い事は周知であったが、本発明によるとこれらを有効に改善することができる。
【００７３】
従来のギターストラップではほとんどの者が演奏終了後ギターにストラップを付けたまま壁等に立てかけたり、ギタースタンドを利用するので、ストラップに足等をひっかけてギターを倒し破損する事故が多かったが、本発明はバックル等の脱着部を採用し、演奏終了後ワンタッチでギターとストラップの一部を分離する事ができるので、上記の様な事故を防止することができる。
【００７４】
ギターはボディー部分にストラップを取り付けるストラップピン（ボディー前部）とエンドピン（ボディー後部）２箇所を有し構成されている。従来のギターストラップは片肩から背中にかけて１本のストラップが、ストラップピンとエンドピンにたすき状にかかっているため、ストラップピンとエンドピンに対してストラップの長さをそれぞれ独立して調整する事ができなかったが、本発明のうち例えばネックストラップ部と腰サイドに取り付けるストラップの２つの要素から構成されるもの等では、ストラップピンとエンドピンに対してそれぞれ独立して個々のストラップの長さを調整することが可能となる。これにより、一層細やかなボディー位置上下の調整が可能となり、それぞれ異なるギタープレイヤーに応じたベストポジションを獲得する事が可能となる。
【００７５】
従来のギターストラップでは片肩から背中にかけてたすき状にストラップがかかっているため、ストラップが露出していたが、本発明は着衣の中でストラップを用いてギターを固定することができるので、ストラップをストラップピン（ボディー上部）とエンドピン（ボディー下部）に取り付ける迄のストラップラインの露出が殆どなく、ストラップのラインを隠し、ステージ上の見栄えの向上に資するものとなる。特にステージ衣装の背中部分がデザインされたものや、装飾品又は飾りを有する衣装を使用する場合には非常に有効となものとなる。
【００７６】
本発明は、既存のストラップピン及びエンドピンにそのまま適用することができるので、ヴィンテージギター等の大切で高価なギターに穴開加工を施しストラップピンを移動させる等といった手法を要することなくほとんどのギターに使用する事ができる。そして、何れのストラップ構成要素もシンプルであり、ストラップ紐を初め、絞り部や長さ調節部、脱着部などに既存部品を使用することができるので、量産性を損なわず、このストラップを廉価にて大量に供給することが可能となる。
【００７７】
ライブ、コンサート等では各演奏曲の変わり目に時間がとれない場合が多いが、従来のストラップでは、背中付近に長さ調節部があり長さ調整に時間がかかるので、ライブ、コンサート等の演奏中、曲目に応じてボディーの位置を変更したいというプレイヤーの希望が叶い難かった。これに対して、本発明は数秒で長さ調節が可能となり、且つストラップピン、エンドピンを支持するストラップ部分をそれぞれ独立して長さ調節することができる。これらから、曲目に応じてストラップの長さを調節しボディーのポジションを変更したいプレイヤーには非常に有効なものとなる。具体的には、この曲は始まりから終わりまでほとんどがコードで構成されているのでボディーを下のポジションに調整しライブアクションを強調したい、この曲はソロがあるので高めのポジションに調節したい等々、これまでには実現されなかったプレイヤーの要望に迅速且つ簡易的に応える事ができる。
【００７８】
さらに、従来のギターストラップは片肩から背中にかけてストラップがたすき状にかかっているため、演奏者の目線から見て第６弦の背後に第５弦〜第１弦が隠れ、意図的にギターを６弦全てが見える方向に起こさなければ弾き難い状態にあったが、本発明の後ストラップ部が位置変更可能（必ずしもスライドするものに限られない）であるものは、後ストラップ部をウェストの後方に移動させることによって第１弦までを自然な姿勢で視認できるようにギターを起こすことができ、弾き易さを格段に向上させることができる。
【００７９】
なお、各部の具体的な構成は、上述した実施形態に限定されるものではない。
【００８０】
例えば、上記第２実施形態では、図２に示すストラップを構成するネックストラップ部２１の背面側に図６に示す背ストラップ部２４を設ける場合を例示したが、その変形として、図８に示すストラップを構成するネックストラップ部１０２の背面側に図６に示す背ストラップ部２４を設ける態様も可能である。或いは、上記第５実施形態では、図１１に示すようにコルセット状のウェストストラップ部１０３に前ストラップ部３２２及び後ストラップ部３２３を取り付けるようにしたが、この後ストラップ部３２３に替えて図３の後ストラップ部２３を用いる態様も勿論可能である。
【００８１】
また、ストラップの素材にはナイロン、ポリプロピレン、ポリエステル等の合成繊維を初めとして、布や皮、合成皮革など種々のものを用いることができ、接続カンや回転カン、脱着部、集束カンも、樹脂や金属など種々のものを用いることができる。
【００８２】
また、本発明は、ギターとして、コントラバス等のウッドベースやアップライトベース以外の弦楽器、例えば代表的なエレクトリックベースであるジャズベースタイプやプレシジョンベースタイプ、他には、アコースティックベース、セミアコースティックベース、フォークギター、前ストラップピン及び後ストラップピンを加工して取り付けたクラシックギター、アコースティックギター、エレクトリックアコースティックギター（エレアコ）、フルアコースティックギター、セミアコースティックギター、または、エレクトリックギターの代表的なボディー構造の種類として、ストラトキャスタータイプ、レスポールタイプ、テレキャスタータイプ、ジャズマスタータイプ、ジャガータイプ、ムスタングタイプ、ＳＧタイプ、フライングＶタイプ、エクスプローラータイプ、ファイヤーバードタイプ、その他、サイレントギター、スピーカー・アンプ内臓エレクトリックギターなど、あらゆるギター・ベースに対応することが可能である。
【００８３】
その場合、大切なギター・ベースに穴を開けてストラップピンを移動する加工等を要することなく、ほとんどのエレクトリックギター・ベース等に使用する事ができるのは上述した通りであるが、もちろん頻繁に行われる、ストラップピンを移動させる加工を施せば、全てのギターに使用することが可能となる。
【００８４】
また、ギター・ベース以外にも、前ストラップピン及び後ストラップピンを有する弦楽器（例えばバンジョーなど）に適用した場合には、上記と同様の作用効果が奏される。
【００８５】
その他の構成も、上述した実施形態のみに限定されるものではなく、例えば、ネックストラップ部にピックホルダーを設けたり、ウェストストラップ部にトランスミッターを取り付けるなど、本発明の趣旨を逸脱しない範囲で種々変形が可能である。
【図面の簡単な説明】
【００８６】
【図１】本発明が適用されるギターの一般的構成を示す図。
【図２】本発明の第１実施形態を使用状態において示す図。
【図３】同実施形態の後ストラップ部を拡大して示す図。
【図４】同実施形態を着衣状態で示す図。
【図５】同実施形態の背面図。
【図６】本発明の第２実施形態を使用状態において示す背面図。
【図７】第２実施形態の変形例を示す図。
【図８】本発明の第３実施形態を使用状態において示す図。
【図９】第３実施形態の変形例を示す図。
【図１０】本発明の第４実施形態を使用状態において示す図。
【図１１】本発明の第５実施形態を使用状態において示す図。
【図１２】本発明の第６実施形態を使用状態において示す図。
【図１３】本発明の第７実施形態を使用状態において示す図。
【図１４】本発明の第８実施形態を使用状態において示す図。
【図１５】図１４の背面図。
【符号の説明】
【００８７】
Ｇ…弦楽器（ギター）
１ａ…ボディ前部
１ｂ…ボディ後部
１ｃ…ボディ
２、１０２…ストラップ
３、１０３…ウェストストラップ部
４…肩紐
１１…ストラップピン
１２…エンドピン
２１、１２１…ネックストラップ部
２１ａ…首掛け部
２１ｂ、１２１ｂ…絞り部、長さ調節部
２２、１２２、２２２…前ストラップ部
２３、１２３、２２３…後ストラップ部
２３ａ…係合部
２２ａ、１２２ａ、２２２ｃ…ストラップピン接続部
２３ｂ、１２３ｂ…エンドピン接続部
２３ｄ、１２２ｂ、１２３ｄ、２２２ｂ…長さ調節部
２４…背ストラップ部